(57)【要約】【課題】位相補償の必要な各種回路に適用でき、大容量の位相補償キャパシタや複雑な回路を必要とせずに実現できる位相補償回路などの提供。【解決手段】この発明に係る位相補償回路２０は、複数のトランジスタがカスコード接続されるカスコード増幅回路（カスコード増幅段）１０に設けられ、カスコード増幅回路１０の位相補償を行う。位相補償回路２０は、バッファアンプ２１とキャパシタ２２とを備え、これらは直列接続されて直列回路を構成する。その直列回路の入力側はカスコード増幅回路１０の出力端子１２に接続され、直列回路の出力側はカスコード増幅回路１０の位相補償端子１３に接続される。バッファアンプ２１は、ソースフォロワ回路に置き換えできる。【選択図】  図１
2011024086.tif 000002
【特許請求の範囲】
【請求項１】
複数のトランジスタがカスコード接続されるカスコード増幅段に設ける位相補償回路であって、
バッファアンプまたはソースフォロワ回路と、
前記バッファアンプまたはソースフォロワ回路の出力側に一端が接続されるキャパシタと、を備え、
前記バッファアンプまたはソースフォロワ回路の入力側が前記カスコード増幅段の出力端子に接続され、
前記キャパシタの他端が前記カスコード増幅段の位相補償用の接続部に接続されることを特徴とする位相補償回路。
【請求項２】
前記複数のトランジスタは、少なくとも１つの入力用の第１のトランジスタと、少なくとも１つの入力用以外の第２のトランジスタと、からなることを特徴とする請求項１に記載の位相補償回路。
【請求項３】
少なくとも１つの入力用トランジスタと少なくとも１つの電流源とがカスコード接続されるカスコード増幅段に設ける位相補償回路であって、
バッファアンプまたはソースフォロワ回路と、
前記バッファアンプまたはソースフォロワ回路の出力側に一端が接続されるキャパシタと、を備え、
前記バッファアンプまたはソースフォロワ回路の入力側が前記カスコード増幅段の出力端子に接続され、
前記キャパシタの他端が前記カスコード増幅段の位相補償用の接続部に接続されることを特徴とする位相補償回路。
【請求項４】
前記バッファアンプまたはソースフォロワ回路は、高入力インピーダンスであり、任意の正の値の利得を有することを特徴とする請求項１乃至請求項３のうちの何れか１項に記載の位相補償回路。
【請求項５】
前記キャパシタは、第１のキャパシタと第２のキャパシタからなり、
前記第１のキャパシタの一端は前記バッファアンプまたはソースフォロワ回路の出力側に接続され、前記第１のキャパシタの他端は前記カスコード増幅段の位相補償用の第１の接続部に接続され、
前記第２のキャパシタの一端は前記バッファアンプまたはソースフォロワ回路の出力側に接続され、前記第２のキャパシタの他端は前記カスコード増幅段の位相補償用の第２の接続部に接続されることを特徴とする請求項１乃至請求項４のうちの何れか１項に記載の位相補償回路。
【請求項６】
前記カスコード増幅段がトランスコンダクタンス増幅器の出力段であることを特徴とする請求項１乃至請求項５のうちの何れか１項に記載の位相補償回路。
【請求項７】
前記カスコード増幅段がカスコード増幅器の出力段であることを特徴とする請求項１乃至請求項５のうちの何れか１項に記載の位相補償回路。
【請求項８】
出力電圧を基準電圧と比較して両者の誤差に応じた誤差信号を出力するエラーアンプと、前記誤差信号に応じて前記出力電圧を所定値に制御する出力用トランジスタと、を有する安定化電源であって、
前記エラーアンプは、複数のトランジスタがカスコード接続されるカスコード出力段を含み、
前記カスコード出力段と前記出力用トランジスタとの間に位相補償回路を設け、
前記位相補償回路は、
バッファアンプまたはソースフォロワ回路と、
前記バッファアンプまたはソースフォロワ回路の出力側に一端が接続されるキャパシタと、を備え、
前記バッファアンプまたはソースフォロワ回路の入力側が前記カスコード出力段の出力端子に接続され、
前記キャパシタの他端が前記カスコード出力段の位相補償用の接続部に接続されることを特徴とする安定化電源。
【請求項９】
前記バッファアンプまたはソースフォロワ回路は、高入力インピーダンスであり、任意の正の値の利得を有することを特徴とする請求項８に記載の安定化電源。
【請求項１０】
順方向電圧降下の異なる２つのトランジスタと、前記２つのトランジスタに電流を供給する電流源とを含み、バンドギャップ電圧を生成するバンドギャップ電圧生成回路と、
前記バンドギャップ電圧生成回路が生成する第１の電圧と第２の電圧との比較を行い、前記両電圧が同じになるように前記電流源の電流を制御する差動増幅回路と、を有するバンドギャップリファレンス回路であって、
前記差動増幅回路は複数のトランジスタをカスコード接続して構成し、かつ、前記バンドギャップ電圧生成回路と前記差動増幅回路との間に位相補償回路を設け、
前記位相補償回路は、
バッファアンプまたはソースフォロワ回路と、
前記バッファアンプまたはソースフォロワ回路の出力側に一端が接続されるキャパシタと、を備え、
前記バッファアンプまたはソースフォロワ回路の入力側が前記差動増幅回路の出力端子に接続され、
前記キャパシタの他端が前記差動増幅回路の位相補償用の接続部に接続されることを特徴とするバンドギャップリファレンス回路。
【請求項１１】
前記バッファアンプまたはソースフォロワ回路は、高入力インピーダンスであり、任意の正の値の利得を有することを特徴とする請求項１０に記載のバンドギャップリファレンス回路。
【発明の詳細な説明】
【技術分野】
【０００１】
本発明は、帰還ループを含む各種回路の波形の位相を安定化させる位相補償回路、およびその位相補償回路を適用した安定化電源、バンドギャップリファレンス回路に関する。
【背景技術】
【０００２】
一般に、帰還ループを含む各種回路において、帰還ループ内に２個以上のポール（極）がある場合、適切な位相補償を行わないと、発振することが知られている。発振は、入力信号と帰還信号との位相が１８０°以上で、回路のゲインが１以上である場合に生じるので、発振を防止して動作の安定化を図る必要がある。
このため、ポールを２個以上含む帰還ループでは、ポール１個あたり９０°の位相遅れを生じるので、2 個目のポールの影響で位相が１８０°遅れる以前にゲインが１以下となるような、位相補償を行うことが必要である。この位相補償は、帰還ループ内に存在するポールの数が増すほど困難となり、さらに、使用条件によって、周波数が大きく変化してしまうポールを含む帰還ループでは一層困難となる。
【０００３】
次に、帰還ループ内に制御することが困難な１個以上のポールを有する系の一例として、集積回路化された一般的なリニア・レギュレータ（以下、レギュレータという）の構成を、図１９に示す。
このレギュレータは、図１９に示すように、エラーアンプ１００と、分圧抵抗Ｒ１、Ｒ２と、出力用トランジスタＱＰ１００と、出力端子２００と、を備えている。
そして、出力端子２００とグランドとの間には、レギュレータの用途に応じて、各種の負荷３００と平滑用キャパシタＣＬが接続される。しかし、それらが確定できない場合には、出力用トランジスタＱＰ１００と分圧抵抗Ｒ１、Ｒ２からなる出力段４００のポールを制御することは困難である。
【０００４】
このような構成のレギュレータでは、分圧抵抗Ｒ１、Ｒ２が出力電圧ＶＯＵＴを分圧させ、分圧電圧を生成させる。エラーアンプ１００は、その分圧電圧を基準電圧ＶＲＥＦと比較する。そして、その分圧値と基準電圧ＶＲＥＦが同じになるように、出力用トランジスタＱＰ１００の導通抵抗が制御される。
また、出力電圧ＶＯＵＴは、次の（１）式となるので、分圧抵抗Ｒ１、Ｒ２を任意の値に設定することで所望の出力電圧ＶＯＵＴが負荷３００に供給される。
ＶＯＵＴ＝ＶＲＥＦ×〔１＋（Ｒ１／Ｒ２）〕・・・（１）
【０００５】
図１９に示すレギュレータは、各種の負荷３００と平滑用キャパシタＣＬに対して位相補償ができるだけでなく、さらに以下の（１）〜（３）に係る性能が要求される。
（１）電源電圧ＶＤＤの変動の影響が出力電圧ＶＯＵＴに現れないこと（ライン・レギュレーションが良いこと）。
（２）負荷３００の変動の影響が出力電圧ＶＯＵＴに現れないこと（ロード・レギュレーションが良いこと）。
（３）電源電圧ＶＤＤおよび負荷３００の変化に対する応答時間が短いこと。
さらに、（１）〜（３）の性能の具体化には、以下の（４）〜（６）の手法が一般的である。
（４）ライン・レギュレーションを良くするには、エラーアンプ１００のゲインを十分に大きくすること。
（５）ロード・レギュレーションを良くするには、エラーアンプ１００のゲインＧｅと、出力段のゲインＧｏの積である（Ｇｅ×Ｇｏ）の値を十分に大きくすること。
（６）応答時間を短くするには、上記の利得の積（Ｇｅ×Ｇｏ）が１になる周波数を十分に高くすること。
【０００６】
次に、図１９に示すレギュレータの構成において、出力段４００でのポール周波数ｆｐｏおよびゲインＧｏについて考える。
出力段４００は、１段の増幅回路とみなすことができるので、図２０の増幅回路５００により近似することができる。
図２０において、増幅回路５００のＤＣでのゲインをＧｏＤＣとし、負荷３００の抵抗成分をＬＲとすると、出力段４００のポール周波数ｆｐおよびゲインＧｏＤＣは、以下の（２）式および（３）式となる。
ｆｐ＝１/ （２π×ＬＲ×ＣＬ）・・・（２）
ＧｏＤＣ＝Ｇｍｏ×ＬＲ        ・・・（３）
ここで、ＣＬは平滑用キャパシタＣＬの容量値、Ｇｍｏは図１９の出力用トランジスタＱＰ１００のトランスコンダクタンス値である。
【０００７】
図１９に示すレギュレータは、さまざまな負荷３００に対して安定であることが求められるが、その負荷３００がどのようなものなのか設計者などは想定できない。すなわち、抵抗性の負荷なのか  定電流源的な負荷なのか、また所望の出力電圧を維持するために、どれだけの電流を供給する必要があるのかを定めることはできない。また、平滑用キャパシタＣＬとして、いかなる容量値のキャパシタが付加されるかも定めることはできない。さらに、出力用トランジスタＱＰ１００のＧｍｏは、出力用トランジスタＱＰ１００に流れる電流により決まる係数である。
【０００８】
また、（２）および（３）式からも明らかなように、平滑用キャパシタＣＬの容量値、負荷３００の持つ抵抗成分ＬＲ、出力用トランジスタＱＰ１００が供給する電流に基づき、出力段４００のポール周波数ｆｐｏおよびゲインＧｏは大きく変化することになる。そして、負荷３００に依存してポール周波数ｆｐｏおよびＤＣゲインＧｏＤＣが３桁以上変化することもある。
ここで、ポール周波数ｆｐｏとは、出力用トランジスタＱＰ１００のゲートに入力される信号に対し、出力電圧ＶＯＵＴの位相が４５°遅れる周波数であり、またゲインＧｏがＤＣでのゲインＧｏＤＣに対して３ｄＢ小さくなる（低下する）周波数である。
【０００９】
次に、図１９に示すレギュレータが安定であるための条件について、最も安定性の確保が容易である、エラーアンプ１００が１段の増幅段からなる場合について考えてみる。すなわち、エラーアンプ１００と出力段４００を合わせて、２段の増幅段からなる演算増幅器とみなせる場合である。
いま、エラーアンプ１００のポール周波数をｆｐｅ、ゲインをＧｅとする。そして、安定条件として、４５度の位相余裕を確保することにすると、ポール周波数ｆｐｏにおいて、エラーアンプ１００のゲインＧｅと出力段４００のゲインＧｏの積（Ｇｅ×Ｇｏ）が１以下であることが必要である。
【００１０】
すなわち、この演算増幅器の帯域は、ポール周波数ｆｐｏ以下としなければならないことがわかる。
（２）式からも明らかなように、平滑用キャパシタＣＬおよび負荷３００の抵抗成分ＬＲが大きい場合には、ポール周波数ｆｐは極めて小さいものとなり、レギュレータとしての応答特性は劣悪なものとなる。
また、ポール周波数ｆｐｏにおいて、エラーアンプ１００のゲインと出力段４００のゲインの積（Ｇｅ×Ｇｏ）を１以下とするには、以下の（４）式とする必要があることが知られている。
ＣＣ＞２×ＣＬ×（Ｇｍｅ／Ｇｍｏ）・・・（４）
【００１１】
ここで  ＣＣは図１９に示す位相補償キャパシタＣＣの容量値であり、Ｇｍｅはエラーアンプ１００のトランスコンダクタンス値である。
（４）式からも明らかなように、トランスコンダクタンス値Ｇｍｅが小さく、すなわちレギュレータの出力電流が小さく、平滑用キャパシタＣＬの容量値が大きい場合において、レギュレータを安定に動作させるためには、位相補償キャパシタＣＣは容量値の大きなものを用意する必要があった。このため、レギュレータとして、集積回路化したものを実現することは困難であった。
そこで、これらの問題を解決するための発明として、特許文献１、特許文献２などに記載のものが知られている。
【００１２】
特許文献１の発明では、エラーアンプの動作電流と、出力段の出力電流に比例関係を持たせ、これにより、出力段のポールが高い周波数に移動した場合には、エラーアンプのポールも高い周波数に移動させて、応答特性の改善を図っている。
また、特許文献２の発明では、これまで説明してきたような電圧帰還回路に、低ゲイン・広帯域の電流帰還回路を付加することにより、応答特性の改善を図っている。
しかし、特許文献１の発明では、広帯域化の効果が限定的であるだけでなく、出力電流が増えた場合には、回路の消費電流も増え、位相補償キャパシタＣＣの容量値は大きいままであるという問題がある。また、特許文献２の発明では、回路が複雑化する、すなわち、回路の消費電流および回路の面積がともに増加するという問題があった。
【００１３】
ところで、上記では集積回路化されたレギュレータの例を示したが、レギュレータ以外の各種のＩＣであって、帰還ループ内に２個以上のポール、または制御することが困難なポールを有する場合には、そのＩＣの動作の安定性を確保するために、大容量の位相補償キャパシタや複雑な回路を用意する必要があるという課題がある。
【先行技術文献】
【特許文献】
【００１４】
【特許文献１】米国特許第７４１７４１６号公報
【特許文献２】米国特許第７３２７１２５号公報
【発明の概要】
【発明が解決しようとする課題】
【００１５】
そこで、本発明の目的は、上記の課題に鑑み、例えば集積回路化された各種回路であって、位相補償の必要な各種回路に適用でき、大容量の位相補償キャパシタや複雑な回路を必要とせずに実現できる位相補償回路を提供することにある。
また、本発明の他の目的は、その位相補償回路を適用した安定化電源、およびバンドギャップリファレンス回路を提供することにある。
【課題を解決するための手段】
【００１６】
上記の課題を解決し本発明の目的を達成するために、各発明は以下のような構成からなる。
第１の発明は、複数のトランジスタがカスコード接続されるカスコード増幅段に設ける位相補償回路であって、バッファアンプまたはソースフォロワ回路と、前記バッファアンプまたはソースフォロワ回路の出力側に一端が接続されるキャパシタと、を備え、前記バッファアンプまたはソースフォロワ回路の入力側が前記カスコード増幅段の出力端子に接続され、前記キャパシタの他端が前記カスコード増幅段の位相補償用の接続部に接続される。
第２の発明は、第１の発明において、前記複数のトランジスタは、少なくとも１つの入力用の第１のトランジスタと、少なくとも１つの入力用以外の第２のトランジスタと、からなる。
【００１７】
第３の発明は、少なくとも１つの入力用トランジスタと少なくとも１つの電流源とがカスコード接続されるカスコード増幅段に設ける位相補償回路であって、バッファアンプまたはソースフォロワ回路と、前記バッファアンプまたはソースフォロワ回路の出力側に一端が接続されるキャパシタと、を備え、前記バッファアンプまたはソースフォロワ回路の入力側が前記カスコード増幅段の出力端子に接続され、前記キャパシタの他端が前記カスコード増幅段の位相補償用の接続部に接続される。
【００１８】
第４の発明は、第１〜第３の発明のうちの何れにおいて、前記バッファアンプまたはソースフォロワ回路は、高入力インピーダンスであり、任意の正の値の利得を有する。
第５の発明は、第１〜第４の発明のうちの何れにおいて、前記キャパシタは、第１のキャパシタと第２のキャパシタからなり、前記第１のキャパシタの一端は前記バッファアンプまたはソースフォロワ回路の出力側に接続され、前記第１のキャパシタの他端は前記カスコード増幅段の位相補償用の第１の接続部に接続され、前記第２のキャパシタの一端は前記バッファアンプまたはソースフォロワ回路の出力側に接続され、前記第２のキャパシタの他端は前記カスコード増幅段の位相補償用の第２の接続部に接続される。
第６の発明は、第１〜第５の発明のうちの何れにおいて、前記カスコード増幅段がトランスコンダクタンス増幅器の出力段である。
【００１９】
第７の発明は、第１〜第５の発明のうちの何れにおいて、前記カスコード増幅段がカスコード増幅器の出力段である。
第８の発明は、出力電圧を基準電圧と比較して両者の誤差に応じた誤差信号を出力するエラーアンプと、前記誤差信号に応じて前記出力電圧を所定値に制御する出力用トランジスタと、を有する安定化電源であって、前記エラーアンプは、複数のトランジスタがカスコード接続されるカスコード出力段を含み、前記カスコード出力段と前記出力用トランジスタとの間に位相補償回路を設け、前記位相補償回路は、バッファアンプまたはソースフォロワ回路と、前記バッファアンプまたはソースフォロワ回路の出力側に一端が接続されるキャパシタと、を備え、前記バッファアンプまたはソースフォロワ回路の入力側が前記カスコード出力段の出力端子に接続され、前記キャパシタの他端が前記カスコード出力段の位相補償用の接続部に接続される。
第９の発明は、第８の発明において、前記バッファアンプまたはソースフォロワ回路は、高入力インピーダンスであり、任意の正の値の利得を有する。
【００２０】
第１０の発明は、順方向電圧降下の異なる２つのトランジスタと、前記２つのトランジスタに電流を供給する電流源とを含み、バンドギャップ電圧を生成するバンドギャップ電圧生成回路と、前記バンドギャップ電圧生成回路が生成する第１の電圧と第２の電圧との比較を行い、前記両電圧が同じになるように前記電流源の電流を制御する差動増幅回路と、を有するバンドギャップリファレンス回路であって、前記差動増幅回路は複数のトランジスタをカスコード接続して構成し、かつ、前記バンドギャップ電圧生成回路と前記差動増幅回路との間に位相補償回路を設け、前記位相補償回路は、バッファアンプまたはソースフォロワ回路と、前記バッファアンプまたはソースフォロワ回路の出力側に一端が接続されるキャパシタと、を備え、前記バッファアンプまたはソースフォロワ回路の入力側が前記差動増幅回路の出力端子に接続され、前記キャパシタの他端が前記差動増幅回路の位相補償用の接続部に接続される。
第１１の発明は、第１０の発明において、前記バッファアンプまたはソースフォロワ回路は、高入力インピーダンスであり、任意の正の値の利得を有する。
【発明の効果】
【００２１】
このような構成の本発明の位相補償回路によれば、例えば集積回路化された各種回路であって、位相補償の必要な各種回路に適用でき、この場合に、大容量の位相補償キャパシタや複雑な回路を必要とせずに実現できる。
また、本発明の安定化電源およびバンドギャップリファレンス回路によれば、本発明の位相補償回路が適用されるが、この場合に、大容量の位相補償キャパシタや複雑な回路を必要とせずに実現できる。
【図面の簡単な説明】
【００２２】
【図１】本発明の位相補償回路の第１実施形態の構成を示す回路図である。
【図２】その第１実施形態の位相補償の特性を比較するための比較回路の一例を示す回路図である。
【図３】その第１実施形態の位相特性とゲイン特性のシミュレーションの結果を示す図である。
【図４】図２の比較回路の位相特性とゲイン特性のシミュレーションの結果を示す図である。
【図５】図３および図４の位相変化を説明するための図である。
【図６】本発明の位相補償回路の第２実施形態の構成を示す回路図である。
【図７】本発明の位相補償回路の第３実施形態の構成を示す回路図である。
【図８】本発明の位相補償回路の第４実施形態の構成を示す回路図である。
【図９】本発明の位相補償回路の第５実施形態の構成を示す回路図である。
【図１０】本発明の位相補償回路の第６実施形態の構成を示す回路図である。
【図１１】本発明の位相補償回路の第７実施形態の構成を示す回路図である。
【図１２】本発明の位相補償回路の第８実施形態の構成を示す回路図である。
【図１３】トランスコンダクタンス増幅器に本発明の位相補償回路を適用した一例を示す回路図である。
【図１４】カスコード増幅器に本発明の位相補償回路を適用した第１の例を示す回路図である。
【図１５】カスコード増幅器に本発明の位相補償回路を適用した第２の例を示す回路図である。
【図１６】カスコード増幅器に本発明の位相補償回路を適用した第３の例を示す回路図である。
【図１７】本発明の安定化電源の実施形態の構成を示す回路図である。
【図１８】本発明のバンドギャップリファレンス回路の実施形態の構成を示す回路図である。
【図１９】集積回路化された一般的なレギュレータの構成を示す回路図である。
【図２０】図１９の回路の出力段の等価回路を示す図である。
【発明を実施するための形態】
【００２３】
以下、本発明の実施形態について、図面を参照して説明する。
（位相補償回路の第１実施形態）
図１は、本発明の位相補償回路の第１実施形態の構成を示す回路図である。
この第１実施形態に係る位相補償回路２０は、図１に示すように、複数（この例では４個）のトランジスタがカスコード接続されるカスコード増幅回路（カスコード増幅段）１０に設けられ、カスコード増幅回路１０の位相補償を行う。
【００２４】
ここで、カスコード増幅回路１０は、例えば図１３に示すトランスコンダクタンス増幅器、または図１４に示すカスコード増幅器のカスコード増幅段に適用される。
カスコード増幅回路１０は、図１に示すように、Ｐ型のＭＯＳトランジスタＱＰ１、Ｐ型のＭＯＳトランジスタＱＰ２、Ｎ型のＭＯＳトランジスタＱＮ１、およびＮ型のＭＯＳトランジスタＱＮ２がカスコード接続されている。そして、ＭＯＳトランジスタＱＰ１のソースは高電位の電源ＶＤＤに接続され、ＭＯＳトランジスタＱＮ２のソースは低電位のグランドＧＮＤに接続される。
【００２５】
また、カスコード増幅回路１０は、入力電圧ＶＩＮが印加される入力端子１１と、出力電圧ＶＯＵＴを出力する出力端子１２と、位相補償用の接続部である位相補償端子１３と、を備えている。入力端子１１は、ＭＯＳトランジスタＱＮ２のゲートに接続され、そのゲートに入力電圧ＶＩＮが印加される。出力端子１２は、ＭＯＳトランジスタＱＰ２とＭＯＳトランジスタＱＮ１の共通接続部に接続される。位相補償端子１３は、ＭＯＳトランジスタＱＮ１とＭＯＳトランジスタＱＮ２の共通接続部に接続される。
【００２６】
さらに、ＭＯＳトランジスタＱＰ１のゲートにはバイアス電圧ＶＢ１が印加され、ＭＯＳトランジスタＱＰ２のゲートにはバイアス電圧ＶＢ２が印加され、ＭＯＳトランジスタＱＮ１のゲートにはバイアス電圧ＶＢ３が印加される。このため、カスコード増幅回路１０では、ＭＯＳトランジスタＱＮ２が入力トランジスタとして機能し、ＭＯＳトランジスタＱＰ１、ＱＰ２、ＱＮ１はそれぞれ電流源として機能する。このような観点は、以下の各実施形態でも同様である。
【００２７】
位相補償回路２０は、図１に示すように、バッファアンプ２１とキャパシタ２２とを備え、パッファアンプ２０、キャパシタ２２の順序で直列接続されて直列回路を構成する。その直列回路の入力側はカスコード増幅回路１０の出力端子１２に接続され、直列回路の出力側はカスコード増幅回路１０の位相補償端子１３に接続される。バッファアンプ２１は、高入力インピーダンスで、任意の正の利得を有している。
さらに詳述すると、バッファアンプ２１の入力端子はカスコード増幅回路１０の出力端子１２に接続され、バッファアンプ２１の出力端子はキャパシタ２２の一端側と接続される。さらに、キャパシタ２２の他端側は、カスコード増幅回路１０の位相補償端子１３に接続される。
【００２８】
次に、ＭＯＳトランジスタＱＰ１、ＱＰ２、ＱＮ１、ＱＮ２などの接続関係について、図１を参照して具体的に説明する。
ＭＯＳトランジスタＱＰ１のソースが電源ＶＤＤに接続され、ＭＯＳトランジスタＱＰ１のドレインとＭＯＳトランジスタＱＰ２のソースとが共通接続される。ＭＯＳトランジスタＱＰ２のドレインとＭＯＳトランジスタＱＮ１のドレインとは共通接続され、その共通接続部が出力端子１２に接続される。
ＭＯＳトランジスタＱＮ１のソースとＭＯＳトランジスタＱＮ２のドレインとは共通接続され、その共通接続部が位相補償端子１３に接続される。ＭＯＳトランジスタＱＮ２のソースは、グランドＧＮＤに接続される。
【００２９】
次に、このように構成される第１実施形態の位相補償の効果を確認するために、位相特性とゲイン特性（振幅特性）のシミュレーションを実施したので、そのシミュレーションの結果を図３に示す。
また、第１実施形態の位相補償の効果を比較するための比較回路は、図２に示す回路とする。この比較回路は、図１のカスコード増幅回路１０と同様のカスコード増幅回路１０に、位相補償用のキャパシタ３０を図示のように接続したものである。そして、図２の比較回路について、位相特性とゲイン特性のシミュレーションの実施結果を図４に示す。
【００３０】
図３および図４において、位相１８０度と−１８０度は数学的には同一である。位相補償の効果により、ポールができたため、１〔ＫＨｚ〕付近よりゲインが減少し、位相が回り始めている。
図３に示す第１実施形態のシミュレーション結果によれば、１〔ＫＨｚ〕前後で位相が−１８０度から−９０度へと進んでいるのがわかる。一方、図４に示す比較回路のシミュレーション結果によれば、１〔ＫＨｚ〕前後で位相が１８０度から９０度へと遅れていることがわかる。このような位相の変化を示すと、図５に示すようになる。
【００３１】
このように、第１実施形態によれば、位相が９０度遅れることなく、カスコード増幅回路の利得を１以下にできるので、複数のゲイン段と組み合わせることで、容易に高利得、広帯域の演算増幅器を構成することが可能となる。
また、第１実施形態によれば、大容量の位相補償キャパシタや複雑な回路を必要とせずに、位相補償回路を実現できる。このため、カスコード増幅回路が集積回路化されている場合に、その回路に効果的に活用できる。
なお、このような第１実施形態の作用効果は、以下に説明する各実施形態においても同様に実現できる。
【００３２】
（位相補償回路の第２実施形態）
図６は、本発明の位相補償回路の第２実施形態の構成を示す回路図である。
この第２実施形態は、図１に示す第１実施形態の構成を基本とし、以下の点でその構成が異なる。
すなわち、第２実施形態は、図１のＭＯＳトランジスタＱＮ１、ＱＮ２の共通接続部に接続される位相補償端子１３を、図６に示すように、ＭＯＳトランジスタＱＰ１、ＱＰ２の共通接続部に変更した。
この変更に伴い、位相補償回路２０のキャパシタ２２の他端側を、その変更したカスコード増幅回路１０の位相補償端子１３に接続させるようにした。
【００３３】
（位相補償回路の第３実施形態）
図７は、本発明の位相補償回路の第３実施形態の構成を示す回路図である。
この第３実施形態は、図１に示す第１実施形態の構成を基本とし、以下の点でその構成が異なる。
すなわち、第３実施形態は、図７に示すように、カスコード増幅回路１０に位相補償端子１３の他に新たに位相補償端子１４が追加され、この位相補償端子１４がＭＯＳトランジスタＱＰ１、ＱＰ２の共通接続部に接続されている点が異なる。
【００３４】
そして、その追加に伴い、位相補償回路２０の構成を以下のように変更した。すなわち、位相補償回路２０は、図７に示すように、バッファアンプ２１と、キャパシタ２２、２３とを備えている。そして、バッファアンプ２１の入力側はカスコード増幅回路１０の出力端子１２に接続され、バッファアンプ２１の出力側にはキャパシタ２２、２３のそれぞれの一端側が接続される。さらに、キャパシタ２２の他端側は位相補償端子１３に接続され、キャパシタ２３の他端側は位相補償端子１４に接続される。
【００３５】
（位相補償回路の第４実施形態）
図８は、本発明の位相補償回路の第４実施形態の構成を示す回路図である。
この第４実施形態は、図１に示すカスコード増幅回路１０を、図８に示すカスコード増幅回路１０Ａに置き換えたものである。
すなわち、カスコード増幅回路１０Ａは、図１のカスコード増幅回路１０のＮ型のＭＯＳトランジスタＱＮ１を、Ｐ型のＭＯＳトランジスタＱＰ３に置き換えるようにした。これに伴い、出力端子１２はＭＯＳトランジスタＱＰ３とＭＯＳトランジスタＱＮ２との共通接続部に接続させた。また、位相補償端子１３は、ＭＯＳトランジスタＱＰ２とＭＯＳトランジスタＱＰ３との共通接続部に接続させた。
そして、バッファアンプ２１の入力側はカスコード増幅回路１０Ａの出力端子１２に接続され、バッファアンプ２１の出力側にはキャパシタ２２の一端側が接続される。さらに、キャパシタ２２の他端側はカスコード増幅回路１０Ａの位相補償端子１３に接続される。
【００３６】
（位相補償回路の第５実施形態）
図９は、本発明の位相補償回路の第５実施形態の構成を示す回路図である。
この第５実施形態は、図１に示すカスコード増幅回路１０を、図９に示すカスコード増幅回路１０Ｂに置き換えたものである。
すなわち、カスコード増幅回路１０Ｂは、図１のカスコード増幅回路１０のＭＯＳトランジスタＱＰ２を省略し、３個のＭＯＳトランジスタＱＰ１、ＱＮ１、ＱＮ２をカスコード接続したものである。
これに伴い、出力端子１２はＭＯＳトランジスタＱＰ１とＭＯＳトランジスタＱＮ１との共通接続部に接続させた。また、位相補償端子１３は、ＭＯＳトランジスタＱＮ１とＭＯＳトランジスタＱＮ２との共通接続部に接続させた。
そして、バッファアンプ２１の入力側はカスコード増幅回路１０Ｂの出力端子１２に接続され、バッファアンプ２１の出力側にはキャパシタ２２の一端側が接続される。さらに、キャパシタ２２の他端側は、カスコード増幅回路１０Ｂの位相補償端子１３に接続される。
【００３７】
（位相補償回路の第６実施形態）
図１０は、本発明の位相補償回路の第６実施形態の構成を示す回路図である。
この第６実施形態は、図９に示すカスコード増幅回路１０Ｂを、図１０に示すカスコード増幅回路１０Ｃに置き換えたものである。
すなわち、カスコード増幅回路１０Ｃは、図９の入力端子１１の接続先をＭＯＳトランジスタＱＮ２のゲートからＭＯＳトランジスタＱＰ１のゲートに変更したものである。これに伴い、ＭＯＳトランジスタＱＮ２のゲートにはバイアス電圧ＶＢ４を印加するようにした。
そして、バッファアンプ２１の入力側はカスコード増幅回路１０Ｃの出力端子１２に接続され、バッファアンプ２１の出力側にはキャパシタ２２の一端側が接続される。さらに、キャパシタ２２の他端側は、カスコード増幅回路１０Ｃの位相補償端子１３に接続される。
【００３８】
（位相補償回路の第７実施形態）
図１１は、本発明の位相補償回路の第７実施形態の構成を示す回路図である。
この第７実施形態は、図１に示すカスコード増幅回路１０を、図１１に示すカスコード増幅回路１０Ｄに置き換えたものである。
すなわち、カスコード増幅回路１０Ｄは、図１のカスコード増幅回路１０のＭＯＳトランジスタＱＮ１を省略し、３個のＭＯＳトランジスタＱＰ１、ＱＰ２、ＱＮ２をカスコード接続した。さらに、入力端子１５を追加し、この入力端子１５をＭＯＳトランジスタＱＰ１のゲートに接続するようにした。また、入力端子１１に入力電圧ＶＩＮ１を印加し、入力端子１５に入力電圧ＶＩＮ２を印加するようにした。
【００３９】
これに伴い、出力端子１２は、ＭＯＳトランジスタＱＰ２とＭＯＳトランジスタＱＮ２との共通接続部に接続させた。また、位相補償端子１３は、ＭＯＳトランジスタＱＰ１とＭＯＳトランジスタＱＰ２との共通接続部に接続させた。
そして、バッファアンプ２１の入力側はカスコード増幅回路１０Ｄの出力端子１２に接続され、バッファアンプ２１の出力側にはキャパシタ２２の一端側が接続される。さらに、キャパシタ２２の他端側は、カスコード増幅回路１０Ｄの位相補償端子１３に接続される。
【００４０】
（位相補償回路の第８実施形態）
図１２は、本発明の位相補償回路の第８実施形態の構成を示す回路図である。
この第８実施形態は、図７に示すカスコード増幅回路１０を、図１２に示すカスコード増幅回路１０Ｅに置き換えたものである。
すなわち、カスコード増幅回路１０Ｅは、図７のカスコード増幅回路１０の入力端子１１の他に入力端子１５と追加し、入力端子１５をＭＯＳトランジスタＱＰ１のゲートに接続するようにした。また、入力端子１１に入力電圧ＶＩＮ１を印加し、入力端子１５に入力電圧ＶＩＮ２を印加するようにした。
そして、バッファアンプ２１の入力側はカスコード増幅回路１０Ｅの出力端子１２に接続され、バッファアンプ２１の出力側にはキャパシタ２２、２３のそれぞれの一端側が接続される。さらに、キャパシタ２２の他端側はカスコード増幅回路１０Ｅの位相補償端子１３に接続され、キャパシタ２３の他端側は位相補償端子１４に接続される。
【００４１】
（位相補償回路の実施形態の変形例）
上記の位相補償回路の各実施形態では、例えば図１に示すように、位相補償回路２０はバッファアンプ２１とキャパシタ２２とからなる場合について説明した。しかし、バッファアンプ２１を、高入力インピーダンスで任意の正の利得を有する、ソースフォロワ回路に置き換えるようにしても良い。
【００４２】
（トランスコンダクタンス増幅器に位相補償回路を適用した構成例）
図１３は、トランスコンダクタンス増幅器に本発明の位相補償回路を適用した構成の一例を示す回路図である。
このトランスコンダクタンス増幅器は、図１３に示すように、差動回路からなる入力段４１と、カスコード増幅回路からなる出力段４２とを備え、その出力段４２に位相補償回路２０を設けるようにした。
入力段４１は、差動対を構成するＭＯＳトランジスタＱＰ１１、ＱＰ１２と、それぞれ負荷として機能するＭＯＳトランジスタＱＮ１１、ＱＮ１２と、ＭＯＳトランジスタＱＰ１１、ＱＰ１２に定電流を供給する電流源Ｉ１０と、を備えている。ＭＯＳトランジスタＱＰ１１のゲートには入力信号ＮＩＮが入力され、ＭＯＳトランジスタＱＰ１２のゲートには入力信号ＰＩＮが入力される。
【００４３】
出力段４２は、ＭＯＳトランジスタＱＰ１３、ＱＰ１４、ＱＮ１３が高電位の電源ＶＤＤとグランドＧＮＤとの間にカスコード接続され、ＭＯＳトランジスタＱＰ１５、ＱＰ１６、ＱＮ１４が高電位の電源ＶＤＤとグランドＧＮＤとの間にカスコード接続されている。また、出力段４２は、出力電圧ＶＯＵＴを出力する出力端子４２１と、位相補償用の接続部である位相補償端子４２２と、を備えている。
出力段４２の出力端子４２１と位相補償端子４２２には、位相補償回路２０が接続されている。すなわち、バッファアンプ２１の入力側は出力端子４２１に接続され、キャパシタ２２の他端側は位相補償端子４２２に接続される。
【００４４】
ここで、図１３の出力段４２は、３個のＭＯＳトランジスタＱＰ１５、ＱＰ１６、ＱＮ１４がカスコード接続されたカスコード増幅回路とした場合であるが、これに代えて図１などに示すカスコード増幅回路に置き換えるようにしても良い。
以上のように、トランスコンダクタンス増幅器によれば、位相が９０度遅れることなく、トランスコンダクタンス増幅器の利得を１以下にできるので、複数のゲイン段と組み合わせることで、容易に高利得、広帯域の演算増幅器を構成することが可能となる。
【００４５】
（カスコード増幅器に位相補償回路を適用した第１の例）
図１４は、フォールデッド型カスコード増幅器に本発明の位相補償回路を適用した構成の第１の例を示す回路図である。
このフォールデッド型カスコード増幅器は、図１４に示すように、差動回路からなる入力段５１と、カスコード増幅回路からなる出力段５２とを備え、その出力段５２に位相補償回路２０を設けるようにした。
入力段５１は、差動対を構成するＭＯＳトランジスタＱＰ２１、ＱＰ２２と、ＭＯＳトランジスタＱＰ２１、ＱＰ２２に定電流を供給する電流源Ｉ２０と、を備えている。ＭＯＳトランジスタＱＰ２１のゲートには入力信号ＰＩＮが入力され、ＭＯＳトランジスタＱＰ２２のゲートには入力信号ＮＩＮが入力される。
【００４６】
出力段５２は、ＭＯＳトランジスタＱＰ２３、ＱＰ２４、ＱＮ２１、ＱＮ２２が高電位の電源ＶＤＤとグランドＧＮＤとの間にカスコード接続され、ＭＯＳトランジスタＱＰ２５、ＱＰ２６、ＱＮ２３、ＱＮ２４が高電位の電源ＶＤＤとグランドＧＮＤとの間にカスコード接続されている。
また、出力段５２では、ＭＯＳトランジスタＱP２３、ＱＰ２５がカレントミラーを構成し、ＭＯＳトランジスタＱＰ２４、ＱＰ２６の各ゲートにバイアス電圧ＶＢ１を印加するようにした。さらに、ＭＯＳトランジスタＱＮ２１、ＱＮ２３の各ゲートにバイアス電圧ＶＢ２を印加し、ＭＯＳトランジスタＱＮ２２、ＱＮ２４の各ゲートにバイアス電圧ＶＢ３を印加するようにした。
【００４７】
そして、出力段５２は、出力電圧ＶＯＵＴを出力する出力端子５２１と、位相補償用の接続部である位相補償端子５２２と、を備えている。出力端子５２１は、ＭＯＳトランジスタＱＰ２６、ＱＮ２３の共通接続部に接続され、位相補償端子５２２はＭＯＳトランジスタＱＮ２３、ＱＮ２４の共通接続部に接続される。
さらに、出力段５２の出力端子５２１と位相補償端子５２２には、位相補償回路２０が接続されている。すなわち、バッファアンプ２１の入力側は出力端子５２１に接続され、キャパシタ２２の他端側は位相補償端子５２２に接続されている。
以上のように、フォールデッド型カスコード増幅器によれば、位相が９０度遅れることなく、フォールデッド型カスコード増幅器の利得を１以下にできるので、複数のゲイン段と組み合わせることで、容易に高利得、広帯域の演算増幅器を構成することが可能となる。
【００４８】
（カスコード増幅器に位相補償回路を適用した第２の例）
図１５は、フォールデッド型カスコード増幅器に本発明の位相補償回路を適用した構成の第２の例を示す回路図である。
このフォールデッド型カスコード増幅器は、図１５に示すように、差動回路からなる入力段５１と、カスコード増幅回路からなる出力段５２Ａとを備え、その出力段５２Ａに位相補償回路２０を設けるようにした。
すなわち、このフォールデッド型カスコード増幅器は、図１４の出力段５２を図１５の出力段５２Ａに置き換え、これに伴い、位相補償回路２０の接続先を図１４から図１５に変更するようにした。
【００４９】
出力段５２Ａは、図１４の出力段５２の構成を基本にし、以下の点を変更するようにした。すなわち、図１５に示すように、ＭＯＳトランジスタＱＮ２２、ＱＮ２４の構成をカレントミラーに変更し、この変更に伴いＭＯＳトランジスタＱＰ２３、ＱＰ２５のゲートにはバイアス電圧ＶＢ４をそれぞれ印加するようにした。そして、位相補償端子５２２の接続先を、ＭＯＳトランジスタＱＰ２５、ＱＰ２６の共通接続部に変更した。
これらの変更に伴い、位相補償回路２０は、バッファアンプ２１の入力側は出力段５２Ａの出力端子５２１に接続され、キャパシタ２２の他端側は出力段５２Ａの位相補償端子５２２に接続される。
【００５０】
（カスコード増幅器に位相補償回路を適用した第３の例）
図１６は、カスコード増幅器に本発明の位相補償回路を適用した構成の第３の例を示す回路図である。
このカスコード増幅器は、図１６に示すように、ＭＯＳトランジスタがカスコード接続される差動増幅回路５３からなり、その差動増幅回路５３の２つの出力端に位相補償回路２０Ａ、２０Ｂをそれぞれ設けるようにした。
差動増幅回路５３は、差動対を構成するＭＯＳトランジスタＱＰ３１、ＱＰ３２と、ＭＯＳトランジスタＱＰ３１の負荷として機能するＭＯＳトランジスタＱＮ３１、ＱＮ３２と、ＭＯＳトランジスタＱＰ３２の負荷として機能するＭＯＳトランジスタＱＮ３３、ＱＮ３４と、ＭＯＳトランジスタＱＰ３１、ＱＰ３２に定電流を供給する電流源Ｉ３０と、を備えている。
【００５１】
ＭＯＳトランジスタＱＰ３１のゲートには入力信号ＰＩＮが入力され、ＭＯＳトランジスタＱＰ３２のゲートには入力信号ＮＩＮが入力される。ＭＯＳトランジスタＱＮ３１、Ｑ３３のゲートにはバイアス電圧ＶＢ２がそれぞれ印加され、ＭＯＳトランジスタＱＮ３２、Ｑ３４のゲートにはバイアス電圧ＶＢ１がそれぞれ印加される。
また、差動増幅回路５３は、出力電圧を出力する出力端子５３１、５３２と、位相補償用の接続部である位相補償端子５３３、５３４と、を備えている。出力端子５３１は、ＭＯＳトランジスタＱＰ３１、ＱＮ３１の共通接続部に接続され、出力端子５３２は、ＭＯＳトランジスタＱＰ３２、ＱＮ３３の共通接続部に接続される。位相補償端子５３３はＭＯＳトランジスタＱＮ３１、ＱＮ３２の共通接続部に接続され、位相補償端子５３４はＭＯＳトランジスタＱＮ３３、ＱＮ３４の共通接続部に接続される。
【００５２】
さらに、差動増幅回路５３の出力端子５３１と位相補償端子５３３には、位相補償回路２０Ａが接続される。差動増幅回路５３の出力端子５３２と位相補償端子５３４には、位相補償回路２０Ｂが接続される。
そして、位相補償回路２０Ａは、バッファアンプ２１の入力側が出力端子５３１に接続され、キャパシタ２２の他端側が位相補償端子５３３に接続される。また、位相補償回路２０Ｂは、バッファアンプ２１の入力側が出力端子５３２に接続され、キャパシタ２２の他端側が位相補償端子５３４に接続される。
【００５３】
（安定化電源の実施形態）
図１７は、本発明の安定化電源の実施形態の構成を示す回路図である。
この実施形態に係る安定化電源は、シリーズレギュレータに適用したものであり、図１７に示すように、エラーアンプ（誤差増幅回路）６０と、電圧検出部７０と、出力用トランジスタＱＰ５１と、出力端子７１とを備え、エラーアンプ６０と出力用トランジスタＱＰ５１との間に位相補償回路２０を設けるようにした。そして、出力端子７１とグランドＧＮＤとの間には、負荷３００と平滑用キャパシタＣＬとが接続される。
【００５４】
この実施形態では、電圧検出部７０は、出力電圧ＶＯＵＴを抵抗Ｒ１、Ｒ２で分圧し、この分圧電圧を検出電圧として出力する。エラーアンプ６０は、電圧検出部７０の検出電圧を基準電圧ＶＲＥＦと比較し、この比較結果に応じて誤差信号を生成して出力する。出力用トランジスタＱＰ５１は、その誤差信号に基づいて導通抵抗が制御される。このような一連の動作により、出力電圧ＶＯＵＴが所定値に維持される。
また、この実施形態では、エラーアンプ６０などが安定な動作をするために、位相補償回路２０が進み位相の位相補償を行う。
【００５５】
次に、この実施形態の各部の具体的な構成について、図１７を参照して説明する。
エラーアンプ６０は、図１７に示すように、差動回路からなる入力段６１と、カスコード増幅回路からなる出力段６２とを備え、その出力段６２は出力端子６２１と位相補償用の接続部である位相補償端子６２２とを備えている。
入力段６１は、差動対を構成するＭＯＳトランジスタＱＰ４１、ＱＰ４２と、ＭＯＳトランジスタＱＰ４１の負荷として機能するＭＯＳトランジスタＱＮ４１、ＱＮ４２と、ＭＯＳトランジスタＱＰ４２の負荷として機能するＭＯＳトランジスタＱＮ４３、ＱＮ４４と、ＭＯＳトランジスタＱＰ４１、ＱＰ４２に定電流を供給する電流源Ｉ４０と、を備えている。
【００５６】
ＭＯＳトランジスタＱＰ４１のゲートには所定の基準電圧ＶＲＥＦが印加され、ＭＯＳトランジスタＱＰ４２のゲートには電圧検出部７０の検出電圧が印加される。ＭＯＳトランジスタＱＮ４１、ＱＮ４３のゲートには、バイアス電圧ＶＢ２がそれぞれ印加される。また、ＭＯＳトランジスタＱＮ４２、ＱＮ４６はカレントミラーを構成し、ＭＯＳトランジスタＱＮ４４、ＱＮ４８はカレントミラーを構成する。
出力段６２は、ＭＯＳトランジスタＱＰ４３、ＱＰ４４、ＱＮ４５、ＱＮ４６が高電位の電源ＶＤＤとグランドＧＮＤとの間にカスコード接続され、ＭＯＳトランジスタＱＰ４５、ＱＰ４６、ＱＮ４７、ＱＮ４８が高電位の電源ＶＤＤとグランドＧＮＤとの間にカスコード接続される。
【００５７】
また、出力段６２では、ＭＯＳトランジスタＱ４３、ＱＰ４５がカレントミラーを構成し、ＭＯＳトランジスタＱＰ４４、ＱＰ４６のゲートにはバイアス電圧ＶＢ１がそれぞれ印加される。さらに、ＭＯＳトランジスタＱＮ４５、ＱＮ４７のゲートには、バイアス電圧ＶＢ２がそれぞれ印加される。そして、ＭＯＳトランジスタＱＮ４６、ＱＮ４２はカレントミラーを構成し、ＭＯＳトランジスタＱＮ４８、ＱＮ４４はカレントミラーを構成する。
【００５８】
このため、出力段６２では、ＭＯＳトランジスタＱＮ４６が入力トランジスタとして機能し、ＭＯＳトランジスタＱＰ４３、ＱＰ４４、ＱＮ４５はそれぞれ電流源として機能する。また、ＭＯＳトランジスタＱＮ４８が入力トランジスタとして機能し、ＭＯＳトランジスタＱＰ４５、ＱＰ４６、ＱＮ４７はそれぞれ電流源として機能する。
そして、出力段６２の出力端子６２１は、ＭＯＳトランジスタＱＰ４６、ＱＮ４７の共通接続部に接続される。また、出力段６２の位相補償端子６２２は、ＭＯＳトランジスタＱＰ４５、ＱＰ４６の共通接続部に接続される。
【００５９】
位相補償回路２０は、図１７に示すように、バッファアンプ２１とキャパシタ２２とが直列接続された直列回路からなる。そして、バッファアンプ２１の入力側は、出力段６２の出力端子６２１に接続される。また、バッファアンプ２１とキャパシタ２２の共通接続部は、出力用トランジスタＱＰ５１のゲートに接続される。さらに、キャパシタ２２の他端側は、出力段６２の位相補償端子６２２に接続される。
ここで、バッファアンプ２１は、高入力インピーダンスであり、任意の正の値の利得を有する。また、そのバッファアンプ２１は、同様の機能を有するソースフォロワ回路に置き換えても良い。
【００６０】
出力用トランジスタＱＰ５１は、そのソースが電源ＶＤＤに接続され、そのドレインが出力端子７１に接続される。電圧検出部７０は、分圧抵抗Ｒ１、Ｒ２が直列接続される分圧回路からなり、その分圧回路の一端側が出力端子７１に接続され、その他端側がグランドに接続される。そして、出力電圧ＶＯＵＴが分圧抵抗Ｒ１、Ｒ２で分圧され、この分圧電圧がエラーアンプ６０のＭＯＳトランジスタＱＰ４２のゲートに印加される。
【００６１】
以上説明したように、本発明の安定化電源の実施形態では、エラーアンプ６０は、利得を増すために、入力段６１と、ＭＯＳトランジスタがカスコード接続される出力段６２とで構成するようにした。
また、位相補償回路２０の動作によって、エラーアンプ６０の出力端子６２１の位相は進んだ状態になるので、出力用トランジスタＱＰ５１や電圧検出部７０からなる出力段のポールがどの周波数にあっても動作が安定である。
【００６２】
この安定化電源の周波数帯域は、その出力段のポールの周波数ｆｐｏがエラーアンプ６０のポールの周波数ｆｐｅよりも低いところにあり、その出力段の利得をＧｏ、エラーアンプ６０の利得をＧｅとすると、ｆｐｏ×√（Ｇｏ×Ｇｅ）以上となる。√（Ｇｏ×Ｇｅ）の値は１よりも相当に大きくなるので、通常の位相補償を実施する場合の周波数帯域ｆｐｏに比べて、広帯域で応答速度の優れた安定化電源を実現できる。
このため、安定化電源の実施形態によれば、高利得、広帯域であって、小面積、低消費電流のシリーズレギュレータを容易に実現できる。
【００６３】
（バンドギャップリファレンス回路の実施形態）
図１８は、本発明のバンドギャップリファレンス回路の実施形態の構成を示す回路図である。
この実施形態に係るバンドギャップリファレンス回路は、図１８に示すように、バンドギャップ電圧生成回路８０と、差動増幅回路９０と、出力端子８１とを備え、バンドギャップ電圧生成回路８０と差動増幅回路９０との間に、位相補償回路２０を設けるようにした。
バンドギャップ電圧生成回路８０は、順方向電圧降下の異なる２つのトランジスタＱ１、Ｑ２と、トランジスタＱ１、Ｑ２にそれぞれ電流を供給する電流源として機能するＭＯＳトランジスタＱＰ７１、ＱＰ７２とを含み、バンドギャップ電圧を生成する。
【００６４】
差動増幅回路９０は、バンドギャップ電圧生成回路８０が生成する第１の電圧と第２の電圧との比較を行い、その両電圧が同じになるようにＭＯＳトランジスタＱＰ７１、ＱＰ７２の電流を制御する。このため、バンドギャップ電圧生成回路８０では、温度や電源電圧ＶＤＤが変化しても安定な出力電圧ＶＯＵＴ（例えば１．２〔Ｖ〕）を出力端子８１から出力できる。
位相補償回路２０は、図１８に示すように、バッファアンプ２１とキャパシタ２２とが直列接続された直列回路からなる。ここで、バッファアンプ２１は、高入力インピーダンスであり、任意の正の値の利得を有する。また、そのバッファアンプ２１は、同様の機能を有するソースフォロワ回路に置き換えても良い。
【００６５】
次に、各部の具体的な構成について、図１８を参照して説明する。
バンドギャップ電圧生成回路８０は、ＭＯＳトランジスタＱＰ７１とトランジスタＱ１とが、電源ＶＤＤとグランドＧＮＤとの間に直列に接続される。また、ＭＯＳトランジスタＱＰ７２、抵抗Ｒ３、抵抗Ｒ４、およびトランジスタＱ２は、電源ＶＤＤとグランドＧＮＤとの間に直列に接続される。
ＭＯＳトランジスタＱＰ７１、ＱＰ７２のゲートは共通接続され、その共通接続部が差動増幅回路９０の出力端子９０１に接続される。ＭＯＳトランジスタＱ７２と抵抗Ｒ３の共通接続部は、出力端子８１に接続される。ＭＯＳトランジスタＱＰ７１とトタンジスタＱ１の共通接続部は、差動増幅回路９０のＭＯＳトランジスタＱＮ６２のゲートに接続される。抵抗Ｒ３、Ｒ４の共通接続部は、差動増幅回路９０のＭＯＳトランジスタＱＮ６１のゲートに接続される。トランジスタＱ１、Ｑ２のベースとコレクタは共通接続され、その共通接続部がグランドに接続される。
【００６６】
差動増幅回路９０は、図１８に示すように、複数のＭＯＳトランジスタがカスコード接続される回路からなる。具体的には、差動増幅回路９０は、差動対を構成するＭＯＳトランジスタＱＮ６１、ＱＮ６２と、ＭＯＳトランジスタＱＮ６１の負荷として機能するＭＯＳトランジスタＱＰ６１、Ｑ６２と、ＭＯＳトランジスタＱＮ６２の負荷として機能するＭＯＳトランジスタＱＰ６３、ＱＰ６４と、ＭＯＳトランジスタＱＮ６１、ＱＮ６２に定電流を供給する電流源Ｉ５０と、を備えている。
【００６７】
ＭＯＳトランジスタＱＰ６１のゲートには抵抗Ｒ３、Ｒ４の共通接続部の電圧が印加され、ＭＯＳトランジスタＱＰ６２のゲートにはＭＯＳトランジスタＱＰ７１とトタンジスタＱ１の共通接続部の電圧が印加される。ＭＯＳトランジスタＱＰ６２、ＱＰ６４のゲートにはバイアス電圧ＶＢ１がそれぞれ印加される。また、ＭＯＳトランジスタＱＰ６１、ＱＰ６３は、カレントミラーを構成する。
【００６８】
また、差動増幅回路９０は、出力端子９０１と、位相補償用の接続部である位相補償端子９０２とを備えている。出力端子９０１はＭＯＳトランジスタＱＰ６４、ＱＮ６２の共通接続部に接続され、位相補償端子９０２はＭＯＳトランジスタＱＰ６３、ＱＰ６４の共通接続部に接続される。
位相補償回路２０を構成するバッファアンプ２１とキャパシタ２２とは、直列に接続される。そして、バッファアンプ２１の入力側は、差動増幅回路９０の出力端子９０１、およびバンドギャップ電圧生成回路８０のＭＯＳトランジスタＱＰ７１、ＱＰ７２のゲートに接続される。また、キャパシタ２２の他端側は、差動増幅回路９０の位相補償端子９０２に接続される。
【００６９】
以上説明したように、本発明のバンドギャップリファレンス回路の実施形態では、差動増幅回路９０は、利得を増すために、複数のＭＯＳトランジスタがカスコード接続される回路で構成するようにした。また、位相補償回路２０の位相補償によって、広い周波数領域で安定に動作できる。
このため、実施形態によれば、高利得、広帯域であって、小面積、低消費電流のバンドギャップリファレンス回路を容易に実現できる。
【００７０】
ところで、図１８に示すバンドギャップリファレンス回路は、ＤＣ−ＤＣコンバータなどに適用される。ＤＣ−ＤＣコンバータは、近年、動作周波数が上がっている結果、ＭＨｚ帯のＰＳＲＲ（Ｐｏｗｅｒ  Ｓｕｐｐｌｙ  Ｒｅｊｅｃｔｉｏｎ  Ｒａｔｉｏ）が要求されるようになっている。
これには、広帯域のバンドギャップリファレンス回路が必要であるが、この実施形態はこのようなＤＣ−ＤＣコンバータの要求に応じることができる。
【産業上の利用可能性】
【００７１】
本発明の位相補償回路は、例えば、集積回路化された安定化電源、バンドギャップリファレンス回路などの各種のＩＣであって、帰還ループ内に２個以上のポール、または制御困難なポールを有する系の安定性の改善が要求されるような場合に適用できる。
【符号の説明】
【００７２】
１０、１０Ａ〜１０Ｅ・・・カスコード増幅回路
１１、１５・・・入力端子
１２・・・出力端子
１３、１４・・・位相補償端子
２０、２０Ａ、２０Ｂ・・・位相補償回路
２１・・・バッファアンプ
２２、２３・・・キャパシタ
４１、５１、６１・・・入力段
４２、５２、６２・・・出力段
５０、５３、９０・・・差動増幅回路
６０・・・エラーアンプ
７０・・・電圧検出部
８０・・・バンドギャップ電圧生成回路
【図１】
2011024086.tif 000003
【図２】
2011024086.tif 000004
【図３】
2011024086.tif 000005
【図４】
2011024086.tif 000006
【図５】
2011024086.tif 000007
【図６】
2011024086.tif 000008
【図７】
2011024086.tif 000009
【図８】
2011024086.tif 000010
【図９】
2011024086.tif 000011
【図１０】
2011024086.tif 000012
【図１１】
2011024086.tif 000013
【図１２】
2011024086.tif 000014
【図１３】
2011024086.tif 000015
【図１４】
2011024086.tif 000016
【図１５】
2011024086.tif 000017
【図１６】
2011024086.tif 000018
【図１７】
2011024086.tif 000019
【図１８】
2011024086.tif 000020
【図１９】
2011024086.tif 000021
【図２０】
2011024086.tif 000022